(57)【特許請求の範囲】
【請求項１】
魚釣用リールのリール脚を着脱自在に取り付け可能なリール脚固定装置が固定されて成る釣竿であって、
手で握持保持されるグリップが前記リール脚固定装置に着脱自在に固定されて前記リール脚固定装置から延在し、前記グリップは、前記リール脚固定装置に固定される第１の固定部と、前記釣竿の元竿杆に固定される第２の固定部とを有することを特徴とする釣竿。
【請求項２】
前記グリップは、前記リール脚固定装置と重なり合う重合部を有することを特徴とする請求項１に記載の釣竿。
【請求項３】
前記第１の固定部が前記重合部に位置されることを特徴とする請求項２に記載の釣竿。
【請求項４】
前記グリップは、釣竿の穂先側に位置される前記リール脚固定装置の前部に着脱自在に固定されて釣竿の穂先側へ向けて延在することを特徴とする請求項１から３のいずれか一項に記載の釣竿。
【請求項５】
前記グリップは、釣竿の長手方向軸線に関して略対称な形状を成す一対の半割部材によって構成されるとともに、釣竿の両側からこれを挟み込むように前記一対の半割部材を釣竿の外周に被着して半割部材同士を締結具で締結することにより、前記リール脚固定装置に着脱自在に固定されることを特徴とする請求項１から４のいずれか一項に記載の釣竿。
【請求項６】
前記グリップには、前記締結具の締め付けに伴う前記グリップの反りを防止する及び／又は前記締結具の前記グリップ中への食い込みを規制するための硬質部材が設けられることを特徴とする請求項５に記載の釣竿。
【請求項７】
前記グリップの一部を通じて釣竿の竿杆が露出されていることを特徴とする請求項１から６のいずれか一項に記載の釣竿。
【請求項８】
前記グリップの外表面と前記リール脚固定装置の外表面とが略面一であることを特徴とする請求項１から７のいずれか一項に記載の釣竿。
【請求項９】
前記リール脚固定装置は、釣竿に固定された固定フードと、操作ナットの回転により前記固定フードに対して接近／離反される移動フードとを備え、前記操作ナットの回転操作により前記移動フードを固定フードに接近させることにより前記固定フードと前記移動フートとの間で魚釣用リールのリール脚を挟持することを特徴とする請求項１から８のいずれか一項に記載の釣竿。
【請求項１０】
釣竿に固定されるとともに、魚釣用リールのリール脚を着脱自在に取り付け可能なリール脚固定装置であって、
手で握持保持されるグリップが着脱自在に固定されて成り、その固定状態で前記グリップが前記リール脚固定装置から延在し、前記グリップは、前記リール脚固定装置に固定される第１の固定部と、前記釣竿の元竿杆に固定される第２の固定部とを有することを特徴とする、リール脚固定装置。
【発明の詳細な説明】
【技術分野】
【０００１】
本発明は、リールを着脱自在に装着できるリール脚固定装置を備えた釣竿に関し、特に、着脱式のグリップを有するリール脚固定装置（着脱グリップ付きリール脚固定装置）を備えた釣竿に関する。
【背景技術】
【０００２】
一般に、リールの取り付けが可能な釣竿（例えば、ルアー竿等）は、該釣竿の元竿杆の外周に被着固定されてリールを装着可能なリール脚固定装置を備える。また、釣人は、このようなリール脚固定装置付きの釣竿によって釣りを行う際には、リール脚固定装置付近や元竿杆端部を把持する場合が多い。そのため、このような釣竿には、一般に、釣竿を握持するためのグリップがリール脚固定装置付近（例えばリール脚固定装置の前後の少なくとも一方）や元竿杆端部に設けられる。
【０００３】
ところで、このような釣竿を長期にわたって使用していると、使用時に強く把持するグリップの摩耗、損傷、および、汚れが目立つようになる。しかしながら、従来の釣竿では、グリップが接着剤により竿杆に接着固定されるため、グリップのみを交換することができず、グリップを交換したい場合には釣竿ごと交換する必要があった。
【０００４】
そのため、例えば特許文献１ないし特許文献３に開示される従来技術では、グリップを竿杆に着脱自在に取り付けできるようにし、グリップのみの交換を可能にしている。
【先行技術文献】
【特許文献】
【０００５】
【特許文献１】特開２０００−０６０３７１号
【特許文献２】特開２００４−０８１０６７号
【特許文献３】特開２００４−２２２６５５号
【発明の概要】
【発明が解決しようとする課題】
【０００６】
しかしながら、特許文献１に開示されるグリップは、略半円筒状の一対の半割部材を竿杆の外周に被着し、これらの半割部材をその外周からバンド部材で締め付けることにより、竿杆に着脱自在に取り付けられるため、竿杆に対するグリップの固定強度、竿杆に対するグリップの位置決め安定性が不十分となる場合がある。また、特許文献２および特許文献３に開示されるグリップも単にそれ自体の弾力性または面ファスナによって竿杆に着脱されるにすぎないため、特許文献１と同様、グリップの固定強度および位置決め安定性に問題が残る。
【０００７】
また、これらの特許文献に開示されるグリップは、リール脚固定装置付近に配置されるものの、リール脚固定装置とは別体を成してリール脚固定装置とは別個の位置に取り付けられるため、リール脚固定装置を把持する手の指のグリップに対する引っ掛かり具合や握り心地に違和感を覚える場合もあり、釣竿の握持保持性という点で満足できるとは言い難い。
【０００８】
本発明は、前述した問題に着目してなされたものであり、竿杆に対するグリップの固定強度および位置決め安定性を十分に確保しつつ、必要に応じてグリップを単独で交換できるとともに、リール脚固定装置およびグリップの両方を握った際の握持保持性が良好な釣竿を提供することを目的とする。
【課題を解決するための手段】
【０００９】
前述した目的を達成するために、本発明は、魚釣用リールのリール脚を着脱自在に取り付け可能なリール脚固定装置が固定されて成る釣竿であって、手で握持保持されるグリップが前記リール脚固定装置に着脱自在に固定されて前記リール脚固定装置から延在し、前記グリップは、前記リール脚固定装置に固定される第１の固定部と、前記釣竿の元竿杆に固定される第２の固定部とを有することを特徴とする。
【００１０】
上記構成によれば、釣竿に固定されたリール脚固定装置にグリップが固定されているため、釣竿の竿杆に対するグリップの固定強度、竿杆に対するグリップの位置決め安定性を十分に確保できる。また、グリップがリール脚固定装置に対して着脱自在であるため、必要に応じてグリップを単独で交換できる。すなわち、摩耗、損傷、および、汚れが目立つグリップをリール脚固定装置から取り外して新しい別のグリップと交換することができ（交換前後のグリップの形態等が互いに異なっていてもよい）、あるいは、グリップをメンテナンス（修理、洗浄等）することもできる。また、手で握持保持されるグリップがリール脚固定装置から延在しているため、リール脚固定装置およびグリップの両方を握った際の握持保持性が良好である。
また、本発明は、釣竿に固定される上記構成のリール脚固定装置も提供する。
【発明の効果】
【００１１】
本発明によれば、竿杆に対するグリップの固定強度および位置決め安定性を十分に確保しつつ、必要に応じてグリップを単独で交換できるとともに、リール脚固定装置およびグリップの両方を握った際の握持保持性が良好な釣竿が得られるようになる。
【図面の簡単な説明】
【００１２】
【図１】着脱グリップ付きリール脚固定装置を備えた釣竿の一例を示す全体図である。
【図２】着脱グリップ付きリール脚固定装置を備えた釣竿の要部拡大平面図である。
【図３】（ａ）は着脱グリップ付きリール脚固定装置を備えた釣竿の要部拡大側面図、（ｂ）は（ａ）のＡ−Ａ線に沿う断面図である。
【図４】（ａ）（ｂ）はリール脚固定装置に対する着脱グリップの他の２つの締結形態を示す図３の（ａ）に対応する断面図である。
【図５】グリップを構成する半割部材の他の形態を示し、（ａ）は平面図、（ｂ）は側面図である。
【発明を実施するための形態】
【００１３】
図１は、本発明に係るリール脚固定装置が装着される釣竿の一例を示す図である。
釣竿１は、複数の竿杆を継合することで構成されており、本実施形態では、元竿杆３、中竿杆５、および、穂先竿杆７の３本の竿杆を並継式で継合している。中竿杆５については無い構成であっても良いし、４本以上継合する構成であってもよい。また、釣竿は、並継式以外にも、１本竿、振り出し竿、中通し式など、その構成については特に限定されることはない。
【００１４】
元竿杆３には、魚釣用リール７０が装着されるリール脚固定装置６０が設けられ、各竿杆３，５，７には、所定間隔をおいて、魚釣用リール７０から繰り出される釣糸を案内する複数の釣糸ガイド８（穂先竿杆７の先端はトップガイド８ａ）が装着されている。釣糸ガイド８については、竿杆３，５，７に対して固定される固定ガイドとして構成されていてもよいし、竿杆３，５，７に沿って摺動可能な遊動ガイドとして構成されていてもよい。
【００１５】
元竿杆３、中竿杆５、および、穂先竿杆７は、例えば、強化繊維（主に炭素繊維やガラス繊維等）に、エポキシ樹脂等の合成樹脂を含浸した繊維強化樹脂材で構成されており、管状体、或いは、中実体として構成されている。
【００１６】
元竿杆３に設けられるリール脚固定装置６０は、図２および図３に示されるように、固定フード６３と軸方向に移動する移動フード６４とを備えており、魚釣用リール７０のリール脚７０ａを固定フード６３に差し込んだ状態で、移動フード６４を軸方向に移動させることにより魚釣用リール７０を着脱する構成となっている。この場合、固定フード６３は、穂先側にあっても良いし、基端側にあってもよい。
【００１７】
具体的には、リール脚固定装置６０は、元竿杆３に対して外嵌される筒状に形成されたリールシート本体（以下、単に本体と称する）６２を備えている。本体６２は、例えば、合成樹脂によって一体形成されており、魚釣用リール７０のリール脚７０ａが載置される載置面６９と、載置面６９の穂先側に配設された固定フード６３と、載置面６９の基端側に配設された移動フード６４とを備えている。
【００１８】
固定フード６３は、本体６２に一体形成され、リール脚７０ａの先端側脚部７０ａ’を収容できるように膨出したフード部６３ａを備えており、リール脚７０ａの先端側脚部７０ａ’は、フード部６３ａの開口６１を介して挿入される。なお、フード部６３ａは、後述する移動フード６４のフード部６４ａと同様、本体６２と別体として形成され、本体６２と一体化される構成であっても良い。
【００１９】
移動フード６４は、軸方向に沿って移動可能に構成され、リール脚７０ａの基端側脚部７０ａ”を収容できるように本体６２とは別体に膨出形成されたフード部６４ａを備えている。リール脚７１の基端側脚部７１ｂは、そのようなフード部６４ａの開口６７を介して挿入される。
【００２０】
本体６２の基端側の外周面には、雄螺子部が一体形成されており、この雄螺子部には、回転操作することで軸方向に沿って移動する操作ナット６５が螺合されている。操作ナット６５は、その先端部が移動フード６４と連結している。なお、ここでの連結関係は、操作ナット６５を締め付ける方向に回転操作した際、移動フード６４を回転させることなく固定フード６３側に移動させ、かつ、操作ナット６５を緩める方向に回転操作した際、移動フード６５を回転させることなく固定フード６３から離れる方向に移動させるものであれば良い。
【００２１】
したがって、このような構成によれば、操作ナット６５を締め付ける方向に回転操作すると、操作ナット６５は固定フード６３側に向けて螺進するとともに、移動フード６４は回転することなく固定フード６３側に向けて接近移動される。すなわち、載置面６９に載置されたリール脚７０ａは、固定フード６３と移動フード６４との間で締め付け固定（挟持）される。また、操作ナット６５を緩める方向に回転操作すると、操作ナット６５は固定フード６３から離れる方向に螺進するとともに、移動フード６４は回転することなく固定フード６３から離反する方向に向けて移動される。すなわち、載置面６９に載置されたリール脚７０ａを固定フード６３および移動フード６４から取り外すことが可能となる。
【００２２】
また、以上のように構成されるリール脚固定装置６０には、手で握持保持される着脱グリップ（以下、単にグリップという）２０が着脱自在に固定されており、このグリップ２０は、リール脚固定装置（着脱グリップ付きリール脚固定装置）６０と同等の材質や、ＥＶＡ（エチレンビニルアセテート）やＦＲＰ（繊維強化プラスチック）等から形成される（例えば、硬度７０以上）とともに、リール脚固定装置６０から釣竿１の軸方向に延在している。特に、本実施形態において、グリップ２０は、釣竿１の穂先竿杆７側に位置されるリール脚固定装置６０の前部、すなわち、固定フード６３の前部に着脱自在に固定されて釣竿の穂先竿杆７側へ向けて延在しており、その外表面がリール脚固定装置６０（固定フード６３）の外表面と略面一になっている。このように、両者の外表面が面一になっていれば、リール脚固定装置６０およびグリップ２０の両方を握った際の握持保持性が良好となる。
【００２３】
また、グリップ２０は、リール脚固定装置６０の固定フード６３に固定される第１の固定部３０Ａと、釣竿１の元竿杆３に固定される第２の固定部３０Ｂとを有する。更に、グリップ２０は、釣竿１の軸方向でリール脚固定装置６０の固定フード６３と重なり合う重合部４０（図２および図３に破線で示される境界線５０よりも基端側の斜線で示される領域部分）を有する。この場合、第１の固定部３０Ａは重合部４０に位置される。
【００２４】
なお、重合部４０を規定する境界線５０の位置は任意である。例えば、境界線５０がグリップ２０の前端に位置し、したがって、グリップ２０がそのほぼ全長にわたって固定フード６３と重なり合ってもよい。また、そのような重合形態は、固定フード６３がグリップの２０の内側に入り込むことによって形成されてもよく、あるいは逆に、グリップ２０が固定フード６３の内側に入り込むことによって形成されても構わない。
【００２５】
また、グリップ２０は、釣竿１の長手方向軸線Ｏに関して略対称（図２および図３では左右対称）な形状を成す一対の半割部材２０Ａ，２０Ｂによって構成されるとともに、釣竿１の両側からこれを挟み込むように一対の半割部材２０Ａ，２０Ｂを元竿杆３の外周に被着して半割部材２０Ａ，２０Ｂ同士を締結具３０で締結することにより、リール脚固定装置６０に着脱自在に固定される。また、グリップ２０をリール脚固定装置６０から取り外す場合には、締結具３０を外して、図２に矢印で示される左右方向で半割部材２０Ａ，２０Ｂを互いに離間させればよい。
【００２６】
この場合、締結具３０は、第１および第２の固定部３０Ａ，３０Ｂにそれぞれ位置される。また、締結具３０の形態は、任意であり、例えば簡略的な形態では、互いに螺合するボルトおよびナットを締結具３０として挙げることができる。あるいは、一方の半割部材２０Ａの内側合わせ面２０Ａａ（図３の（ｂ）参照）に凸部（または凹部）を設けるとともに、他方の半割部材２０Ｂの内側合わせ面２０Ｂａ（図３の（ｂ）参照）に凹部（または凸部）を設けて、凹凸係合させる形態も想定し得る。
【００２７】
好適な例として図４の（ａ）（ｂ）に締結具３０の具体的な形態が示される。図４の（ａ）に示される締結具３０は、半割部材２０Ａ，２０Ｂの外周から嵌め付けられることにより半割部材２０Ａ，２０Ｂを固定フード６３に対して径方向外側から押し付けて装着する止めリング８０であり、止め部が平坦で且つ先が爪状を成している。この場合、止めリング８０は、半割部材２０Ａ，２０Ｂの外周面に形成された周方向溝２９内に嵌め付けられるようになっており、その嵌め付けられた状態では、止めリング８０を含むグリップ２０の握持保持性が良好となるように止めリング８０の外周面と半割部材２０Ａ，２０Ｂの外周面とが略面一になる。
【００２８】
一方、図４の（ｂ）に示される締結具３０は、その両側の平面部８０Ａａによって半割部材２０Ａ，２０Ｂの下端面２０Ａｂ，２０Ｂｂに弾性的に当て付くことにより、半割部材２０Ａ,２０Ｂ同士をそれらの内側合わせ面２０Ａａ，２０Ｂａが互いに押し付くようにして圧着して締結する止めリング８０Ａから成る。この場合も、先と同様に、止めリング８０Ａは、半割部材２０Ａ，２０Ｂの外周面に形成された周方向溝２９内に嵌め付けられるようになっており、その嵌め付けられた状態では、止めリング８０Ａを含むグリップ２０の握持保持性が良好となるように止めリング８０Ａの外周面と半割部材２０Ａ，２０Ｂの外周面とが略面一になる。なお、平面部８０Ａａは、グリップ２０に対する止めリング８０Ａの着脱を容易にするために、および、載置面６９に載置される魚釣用リール７０のリール脚７０ａと干渉しないように、半割部材２０Ａ，２０Ｂの下端面２０Ａｂ，２０Ｂｂの縁縁付近のみに当て付くように短く形成されることが好ましい。
【００２９】
また、締結具３０は、元竿杆３を貫かないように固定フード６３の厚さの範囲内にとどまる短いものであってもよく（この場合は、締結具３０が各半割部材２０Ａ，２０Ｂに対応して左右に１つずつ設けられることが好ましい）、あるいは、元竿杆３を横切らない径方向位置で固定フード６３を貫通してもよい（この場合、締結具３０の取り付け位置の選択の自由度を広げるために、外径の細いネジが使用されてもよい）。
【００３０】
なお、前述したようにグリップ２０をＥＶＡ等によって形成する場合には、ネジ等から成る締結具３０を締め込む際に締結具３０がグリップ２０の素材に過度に食い込まないように、食い込みを規制する硬質部材９０（図２中に斜線で示す）を例えば図２に示されるようにグリップ２０のそれぞれの締結具受け部（ネジ受け部）に設けることが好ましい。また、本実施形態のように締結具３０を複数個所で用いる場合には、締結具３０を締め込んで固定する際及び固定した後にＥＶＡ等から成るグリップ２０に反りが生じる（グリップ２０の半割部材２０Ａ，２０Ｂが締め込み方向と反対の方向に反るように弾性変形する）可能性があるため、図２に示されるように硬質部材９２（図２中にドット模様で示す）をグリップ２０に設けて締結の際（締結後）のグリップ２０の反りを防止することが好ましい。この図２では、硬質部材９２がグリップ２０の半割部材２０Ａ，２０Ｂのそれぞれの内側合わせ面２０Ａａ，２０Ｂａに接着固定されるが、グリップ２０（半割部材２０Ａ，２０Ｂ）の内側（グリップ素材の層間）に硬質部材９２が配されてもよい。そのような層間に硬質部材９２が配される場合には、硬質部材９２がグリップ２０に対して接着固定され或いは一体成形される。
【００３１】
また、本実施形態では、グリップ２０の一部を通じて、具体的には、グリップ２０に形成された開口２０ａを通じて元竿杆３が露出されている。このように、竿杆３を露出させると、この露出部位を手で触れることにより魚の当たりがとりやすくなり、感度が向上される。
【００３２】
また、グリップ２０は、リール脚固定装置６０と共にグリップ２０を手で握った際の握持保持性を更に良好にするために、握った手の親指が当たるグリップ２０の部位、例えばグリップ２０の前端外面領域（例えば、リール７０が取り付けられる側の面と反対側のグリップ２０の上面）に平坦面８３（図２の破線参照）を有してもよい。また、グリップ２０は、グリップ２０を軸方向で固定するためにグリップ２０と軸方向から螺合されるリング８５を有してもよい。
【００３３】
以上説明したように、本実施形態によれば、元竿杆３に固定されたリール脚固定装置６０にグリップ２０が固定されているため、元竿杆３に対するグリップ２０の固定強度、元竿杆３に対するグリップ２０の位置決め安定性を十分に確保できる。また、グリップ２０がリール脚固定装置６０に対して着脱自在であるため、必要に応じてグリップ２０を単独で交換できる。すなわち、摩耗、損傷、および、汚れが目立つグリップ２０をリール脚固定装置６０から取り外して新しい別のグリップ２０と交換することができ、あるいは、グリップ２０をメンテナンス（修理、洗浄等）することもできる。また、手で握持保持されるグリップ２０がリール脚固定装置６０から延在しているため、リール脚固定装置６０およびグリップ２０の両方を握った際の握持保持性が良好である。
【００３４】
なお、本発明は、前述した実施形態に限定されず、その要旨を逸脱しない範囲で種々変形して実施できる。例えば、前述した実施形態では、グリップ２０が左右対称な半割部材２０Ａ，２０Ｂによって形成されて、半割部材２０Ａ，２０Ｂが左右方向で着脱されるが、図５に示されるように、グリップ２０が上下の半割部材２０ＡＡ，２０ＢＢによって形成されて、半割部材２０ＡＡ，２０ＢＢが上下方向で着脱されるようになっていてもよい。この場合には、締結具３０が上下方向で組み込まれる。
【００３５】
また、前述した実施形態において、グリップ２０は、釣竿１の穂先竿杆７側に位置されるリール脚固定装置２０の前部、すなわち、固定フード６３の前部に着脱自在に固定されて釣竿の穂先竿杆７側へ向けて延在しているが、リール脚固定装置２０の後部、すなわち、固定フード６３の後部に着脱自在に固定されて元竿杆３の基端側へ向けて延在してもよい。また、前述した実施形態では、色や、模様、形態などが互いに異なる複数種のグリップ２０のセットが用意され、それらのグリップ２０の中から釣人が自由に好みのグリップ２０を選択して適時にグリップ交換を行なえるようになっていてもよい。
【符号の説明】
【００３６】
１  釣竿
２０  グリップ
２０Ａ，２０Ｂ  半割部材
３０  締結具
３０Ａ  第１の固定部
３０Ｂ  第２の固定部
４０  重合部
６０  リール脚固定装置
６３  固定フード
６４  移動フード
７０  魚釣用リール
７０ａ  リール脚
【図１】
0006487350.tif 000002
【図２】
0006487350.tif 000003
【図３】
0006487350.tif 000004
【図４】
0006487350.tif 000005
【図５】
0006487350.tif 000006